(57)【特許請求の範囲】
【請求項１】
内燃機関におけるオープンデッキタイプの環状のウォータジャケットに挿入される環状のウォータジャケットスペーサであって、  周方向の２箇所で分割される２個の分割体からなり、  前記２個の分割体は、正規の組み合せでは、前記ウォータジャケットのデッキ側から見た平面形状に沿った環状体とされ、且つ、当該ウォータジャケットのデッキ側から当該ウォータジャケット内の所定の位置に挿入可能とされると共に、前記分割体の少なくとも同じ分割体同士の誤った組み合わせでは、前記ウォータジャケットにデッキ側から挿入しようとすると、当該分割体の一部が前記デッキより突出し、前記ウォータジャケット内への挿入がなし得ないよう構成されていることを特徴とするウォータジャケットスペーサ。
【請求項２】
請求項１に記載のウォータジャケットスペーサにおいて、 前記２個の分割体は、ともに平面視した周方向長さが前記全周長の１／２より大とされ、正規の組み合わせでは両分割体の周方向端部が互いに所定の噛み合い態様で噛み合って前記全周長をなす環状体とされて前記ウォータジャケットに挿入可能とされ、前記誤った組み合わせでは、前記ウォータジャケットの径方向への食み出し部分が生じ、前記ウォータジャケットへの挿入が不可となるよう構成されていることを特徴とするウォータジャケットスペーサ。
【請求項３】
請求項２に記載のウォータジャケットスペーサにおいて、 前記所定の噛み合い態様が、周方向に沿った凹凸形状の噛み合いであることを特徴とするウォータジャケットスペーサ。
【請求項４】
請求項３に記載のウォータジャケットスペーサにおいて、  前記凹凸形状の噛み合いが、シリンダボアの軸方向に重なり合う形状の噛み合いであることを特徴とするウォータジャケットスペーサ。
【請求項５】
請求項３に記載のウォータジャケットスペーサにおいて、 前記凹凸形状の噛み合いが、シリンダボアの径方向に重なり合う形状の噛み合いであることを特徴とするウォータジャケットスペーサ。
【請求項６】
請求項１に記載のウォータジャケットスペーサにおいて、 前記２個の分割体の一方の分割体は、前記周方向長さが前記全周長の１／２より大とされ、他方の分割体は、前記ウォータジャケットの内壁に形成される異形部に整合する誤挿入防止形状部を備え、正規の組み合わせでは、他方の分割体が前記誤挿入防止形状部が前記異形部に整合するようウォータジャケットに挿入されると共に、一方の分割体がウォータジャケットの残余のスペースに挿入されて、両分割体が前記全周長をなす環状体とされ、前記誤った組み合わせでは、前記ウォータジャケットの径方向への食み出し部分が生じ、前記ウォータジャケットへの挿入が不可となるよう構成されていることを特徴とするウォータジャケットスペーサ。
【請求項７】
請求項１に記載のウォータジャケットスペーサにおいて、 前記２個の分割体は、ともに前記ウォータジャケットの内壁に形成された互いに異なる異形部にそれぞれ整合する誤挿入防止形状部を備え、正規の組み合わせでは前記異形部のそれぞれに誤挿入防止形状部が整合して、両分割体が前記全周長をなす環状体とされてウォータジャケットに挿入され、前記誤った組み合わせでは、前記ウォータジャケットの径方向への食み出し部分が生じ、前記ウォータジャケットへの挿入が不可となるよう構成されていることを特徴とするウォータジャケットスペーサ。
【請求項８】
請求項６又は請求項７に記載のウォータジャケットスペーサにおいて、 前記ウォータジャケットの異形部と、前記誤挿入防止形状部とが互いに凹凸関係で整合するように構成されていることを特徴とするウォータジャケットスペーサ。
【請求項９】
請求項８に記載のウォータジャケットスペーサにおいて、 前記ウォータジャケットの異形部が、ウォータジャケットの外側内壁に形成される凹部であり、前記誤挿入防止形状部が当該異形部に整合するよう径方向に突出する凸部であることを特徴とするウォータジャケットスペーサ。
【発明の詳細な説明】
【技術分野】
【０００１】
本発明は、内燃機関におけるシリンダブロックに形成されるオープンデッキタイプのウォータジャケットに挿入される環状のウォータジャケットスペーサに関する。
【背景技術】
【０００２】
内燃機関、特に、水冷式エンジンには、シリンダブロックにおけるシリンダボア回りにウォータジャケットが形成され、このウォータジャケットに冷却水（不凍液が混合された冷却水も含む）が流通され、エンジンの作動に伴い昇温するシリンダボア壁の冷却がなされる。このようなウォータジャケット内には、ウォータジャケットスペーサが挿入され、冷却水の流通容量を調整してシリンダボア壁の冷却の適正化がなされる。このようなウォータジャケットスペーサは、ウォータジャケットの形状に沿うような環状の樹脂の成型体からなる。自動車用のエンジンの場合、直列的に連なる複数のシリンダボアを取り囲むように環状のウォータジャケットが形成されており、そのためウォータジャケットスペーサが嵩高くなる。このように、ウォータジャケットスペーサ自体が嵩高いため、これを複数梱包して、エンジンの組立現場に搬送したり、保管したりする際には、大きな輸送スペースや保管スペースを確保する必要がある。特許文献１〜特許文献３には、ウォータジャケットスペーサを複数の分割体によって構成する例が記載されている。
【先行技術文献】
【特許文献】
【０００３】
【特許文献１】特許第４０１７５８４号公報
【特許文献２】特開２００８−２０８７４３号公報
【特許文献３】特開２００８−２０８７４４号公報
【発明の概要】
【発明が解決しようとする課題】
【０００４】
ところで、前記のような分割体からなるウォータジャケットスペーサは、輸送性や保管性の点で極めて有益であるが、分割体を誤った組み合わせ状態でウォータジャケットに挿入してしまうと、ウォータジャケットスペーサの所期の冷却機能が得られなくなる。特に、ウォータジャケットスペーサは、その部位に応じて冷却水の流通を規制し、或は冷却水を誘導・整流するような構造が付加されることがある。例えば、冷却水の導入口に対向する部位においては、シリンダボア壁の過冷却を防止するため、導入口から導入された冷却水を速やかに分散させるような構造が採用される。このように、部位によって構造が異なるウォータジャケットスペーサの分割体を、誤った組み合わせ状態でウォータジャケットに挿入すると、前記のようにその所期の冷却機能が果たせなくなり、エンジンの組立工程においては、このような誤った組み合わせ状態が生じないよう細心の注意を払う必要がある。そこで、これら分割体に、誤った組み合わせ状態ではウォータジャケットに挿入し得ないような構造的特徴の改善が望まれるようになった。前記特許文献１〜３には、このような分割体の誤った組み合わせ状態でのウォータジャケットに対する挿入を未然に防止する方策については言及されていない。
【０００５】
本発明は、前記実情に鑑みなされたもので、２個の分割体が誤った組み合わせ状態であることが簡易にわかり、正規の組み合わせ状態でのウォータジャケットへの挿入が的確になし得、内燃機関の組立工程の効率化を図ることができる２分割のウォータジャケットスペーサを提供することを目的としている。
【課題を解決するための手段】
【０００６】
本発明に係るウォータジャケットスペーサは、内燃機関におけるオープンデッキタイプの環状のウォータジャケットに挿入される環状のウォータジャケットスペーサであって、周方向の２箇所で分割される２個の分割体からなり、前記２個の分割体は、正規の組み合せでは、前記ウォータジャケットのデッキ側から見た平面形状に沿った環状体とされ、且つ、当該ウォータジャケットのデッキ側から当該ウォータジャケット内の所定の位置に挿入可能とされると共に、前記分割体の少なくとも同じ分割体同士の誤った組み合わせでは、前記ウォータジャケットにデッキ側から挿入しようとすると、当該分割体の一部が前記デッキより突出し、前記ウォータジャケット内への挿入がなし得ないよう構成されていることを特徴とする。
【０００７】
本発明に係るウォータジャケットスペーサによれば、当該ウォータジャケットスペーサが２個の分割体からなるから、梱包がコンパクトになされ、輸送や保管に有益である。また、２個の分割体は、正規の組み合せでは、ウォータジャケットのデッキ側から当該ウォータジャケット内の所定の位置に挿入可能とされるから、当該ウォータジャケットスペーサは、所期の冷却機能を発揮する。そして、２個の分割体を誤った組み合わせで、ウォータジャケットにデッキ側から挿入しようとすると、当該分割体の一部が前記デッキより突出するから、誤った組み合わせであることが即座にわかる。したがって、ウォータジャケットに対する分割体の誤った組み合わせによる組付けが未然に防止され、内燃機関の組立工程の効率化が図られる。
【０００８】
本発明に係るウォータジャケットスペーサにおいて、前記２個の分割体のそれぞれは、平面視した周方向長さが前記正規の組み合わせ状態の全周長の１／２より大とされている、又は、前記ウォータジャケットの内壁に形成される異形部に整合する誤挿入防止形状部を備えているものとしても良い。
【０００９】
これによれば、分割体の前記周方向長さを前記全周長の１／２より大とする場合、ウォータジャケットの異形部の有無に関らず、環状のウォータジャケットスペーサを分割して形成する分割体に分割部位及び分割部位の形状のみを検討すれば、本発明の目的を実現することができる。また、ウォータジャケットの異形部に整合する誤挿入防止形状部を備える分割体の場合、ウォータジャケットの異形部を利用し、そこへ整合する誤挿入防止形状部の形状のみを検討すれば、同様に本発明の目的を実現することができる。このように、いずれの場合でも、本発明の目的を実現するための分割体の形状を容易に設定することができる。
【００１０】
本発明に係るウォータジャケットスペーサにおいて、前記２個の分割体は、前記周方向長さが前記全周長の１／２より大とされ、正規の組み合わせでは両分割体の周方向端部が互いに所定の噛み合い態様で噛み合って前記全周長をなす環状体とされて前記ウォータジャケットに挿入可能とされ、誤った組み合わせでは、前記ウォータジャケットの径方向への食み出し部分が生じ、前記ウォータジャケットへの挿入が不可となるよう構成されていても良い。
【００１１】
これによれば、２個の分割体は、正規の組み合わせでは、周方向端部が互いに所定の噛み合い態様で噛み合って前記ウォータジャケットに挿入可能とされる。また、誤った組み合わせでは、前記所定の噛み合い態様の噛み合いがなされず、正規のウォータジャケットスペーサの全周長より大きくなって、ウォータジャケットの径方向への食み出し部分が生じる。したがって、１つの分割体がウォータジャケット内に挿入できても、もう一つの分割体はデッキより突出して、この組み合わせではウォータジャケット内に挿入できないことが即座にわかる。
【００１２】
この場合、前記所定の噛み合い態様が、周方向に沿った凹凸形状の噛み合いであっても良い。
これによれば、周方向に沿った凹凸形状の噛み合いが所定の噛み合い態様に合致しておれば、これが正規の組み合わせであって、ウォータジャケットに正しく挿入される。凹凸形状の噛み合いが所定の噛み合い態様に合致していなければ、正規のウォータジャケットスペーサの全周長より大きくなって、ウォータジャケットの径方向への食み出し部分が生じ、分割体の一部がデッキより突出することになり、これによって、誤った組み合わせであることが即座にわかる。
【００１３】
さらにこの場合、前記凹凸形状の噛み合いが、シリンダボアの軸方向に重なり合う形状の噛み合い、或は、シリンダボアの径方向に重なり合う形状の噛み合いであっても良い。
これによれば、シリンダボアの軸方向に重なり合う形状、或は、シリンダボアの径方向に重なり合う形状の噛み合いが所定の噛み合い態様に合致しておれば、これが正規の組み合わせであって、ウォータジャケットに正しく挿入される。この噛み合いが所定の噛み合い態様に合致していなければ、正規のウォータジャケットスペーサの全周長より大きくなって、ウォータジャケットの径方向への食み出し部分が生じ、分割体の一部がデッキより突出することになり、これによって、誤った組み合わせであることが即座にわかる。
【００１４】
本発明に係るウォータジャケットスペーサにおいて、前記２個の分割体の一方の分割体は、前記周方向長さが前記全周長の１／２より大とされ、他方の分割体は、前記異形部に整合する誤挿入防止形状部を備え、正規の組み合わせでは、他方の分割体が前記誤挿入防止形状部が前記異形部に整合するようウォータジャケットに挿入されると共に、一方の分割体がウォータジャケットの残余のスペースに挿入されて、両分割体が前記全周長をなす環状体とされ、誤った組み合わせでは、前記ウォータジャケットの径方向への食み出し部分が生じ、前記ウォータジャケットへの挿入が不可となるよう構成されていても良い。
【００１５】
これによれば、一方の分割体同士を組み合わせると、これら分割体の平面視した周方向長さが前記正規の組み合わせ状態の全周長の１／２より大とされているから、この組み合わせ状態では全周長より大きくなって、ウォータジャケットの径方向への食み出し部分が生じる。したがって、１つの分割体がウォータジャケット内に挿入できても、もう１つの分割体はデッキより突出して、この組み合わせ状態ではウォータジャケット内に挿入できないことが即座にわかる。また、他方の分割体同士を組み合わせた場合、そのうち１つの分割体を誤挿入防止形状部がウォータジャケットの異形部に整合するようウォータジャケット内に挿入できても、もう１つの分割体は、誤挿入防止形状部がウォータジャケットの径方向に食み出すことになる。したがって、この組み合わせ状態でも、分割体の１つはデッキより突出して、ウォータジャケット内に挿入できず、誤った組み合わせ状態であることが即座にわかる。
【００１６】
本発明に係るウォータジャケットスペーサにおいて、前記２個の分割体は、ともに前記ウォータジャケットの内壁に形成された互いに異なる異形部にそれぞれ整合する誤挿入防止形状部を備え、正規の組み合わせでは前記異形部のそれぞれに誤挿入防止形状部が整合して、両分割体が前記全周長をなす環状体とされてウォータジャケットに挿入され、誤った組み合わせでは、前記ウォータジャケットの径方向への食み出し部分が生じ、前記ウォータジャケットへの挿入が不可となるよう構成されても良い。
【００１７】
これによれば、２個の分割体のそれぞれに形成された誤挿入防止形状部を対応する異形部に整合させるようにすれば、正規の組み合わせでウォータジャケット内に挿入させることができる。しかし、誤った組み合わせでは、分割体の１つが、ウォータジャケット内に挿入できても、もう１つの分割体の誤挿入防止形状部はウォータジャケットの異形部に整合せず、ウォータジャケットの径方向への食み出し部分が生じ、当該分割体はデッキより突出して、ウォータジャケット内に挿入できず、誤った組み合わせ状態であることが即座にわかる。
【００１８】
これらの場合、前記ウォータジャケットスペーサの異形部と、前記誤挿入防止形状部とが互いに凹凸関係で整合するように構成されていても良い。
これによれば、異形部と誤挿入防止形状部との凹凸関係の整合によって、各分割体のウォータジャケットにおける所定部位への挿入の視覚的な判別がし易くなる。
この凹凸関係としては、前記ウォータジャケットスペーサの異形部が、ウォータジャケットの外側内壁に形成される凹部であり、前記誤挿入防止形状部が当該異形部に整合するよう径方向に突出する凸部であるようにしても良い。
これによれば、異形部の凹形状と、誤挿入防止形状部の凸形状とが整合することになるから、各分割体のウォータジャケットにおける所定部位への挿入の視覚的な判別がし易くなる。
【発明の効果】
【００１９】
本発明によれば、ウォータジャケットスペーサが、２分割のウォータジャケットスペーサであることにより輸送性及び保管性に優れる。また、２個の分割体が誤った組み合わせである場合にはその事実が簡易にわかり、正規の組み合わせ状態でのウォータジャケットへの挿入が的確になし得、もって、内燃機関の組立工程の効率化を図ることができる。
【図面の簡単な説明】
【００２０】
【図１】本発明に係るウォータジャケットスペーサが適用される自動車用エンジンにおけるシリンダブロックの一例を概略的に示す平面図である。
【図２】（ａ）（ｂ）（ｃ）は、本発明に係るウォータジャケットスペーサの第一の実施形態を示す模式的斜視図であって、（ａ）は分割体の正規の組み合わせ状態を、（ｂ）（ｃ）は分割体の誤った組み合わせ状態をそれぞれ示す。
【図３】（ａ）（ｂ）（ｃ）は、同実施形態の第１の変形例を示す図２と同様図である。
【図４】（ａ）（ｂ）（ｃ）は、同実施形態の第２の変形例を示す図２と同様図である。
【図５】（ａ）（ｂ）（ｃ）は、同実施形態の第３の変形例を示す図２と同様図である。
【図６】（ａ）（ｂ）（ｃ）は、本発明に係るウォータジャケットスペーサの第二の実施形態を示す模式的平面図であって、（ａ）は分割体の正規の組み合わせ状態を、（ｂ）（ｃ）は分割体の誤った組み合わせ状態をそれぞれ示す。
【図７】（ａ）（ｂ）（ｃ）は、同実施形態の変形例を示す図６と同様図である。
【図８】（ａ）（ｂ）（ｃ）は、本発明に係るウォータジャケットスペーサの第三の実施形態を示す模式的平面図であって、（ａ）は分割体の正規の組み合わせ状態を、（ｂ）（ｃ）は分割体の誤った組み合わせ状態をそれぞれ示す。
【図９】（ａ）（ｂ）（ｃ）は、本発明に係るウォータジャケットスペーサの第四の実施形態を示す模式的平面図であって、（ａ）は分割体の正規の組み合わせ状態を、（ｂ）（ｃ）は分割体の誤った組み合わせ状態をそれぞれ示す。
【図１０】（ａ）（ｂ）（ｃ）（ｄ）は、本発明に係るウォータジャケットスペーサの第五の実施形態を示し、ウォータジャケットスペーサを周方向に展開した状態の模式的側面図であって、（ａ）は分割体の正規の組み合わせ状態を、（ｂ）（ｃ）（ｄ）は分割体の誤った組み合わせ状態をそれぞれ示す。
【図１１】（ａ）（ｂ）（ｃ）は、本発明に係るウォータジャケットスペーサの第六の実施形態を示し、ウォータジャケットスペーサを周方向に展開した状態の模式的側面図であって、（ａ）は分割体の正規の組み合わせ状態を、（ｂ）（ｃ）は分割体の誤った組み合わせ状態をそれぞれ示す。
【図１２】（ａ）（ｂ）（ｃ）（ｄ）は、同実施形態における分割体の別の誤った組み合わせ状態をそれぞれ示す図１１と同様図である。
【図１３】（ａ）は本発明に係るウォータジャケットスペーサの梱包時の荷姿の一例を示す模式的平面図であり、（ｂ）は参考例の同荷姿を示す同様図である。
【発明を実施するための形態】
【００２１】
以下に本発明の実施の形態について、図面を参照して説明する。図１は、本発明に係るウォータジャケットスペーサが適用される自動車用エンジン（内燃機関）１におけるシリンダブロック２の一例を概略的に示している。図１に示すウォータジャケットスペーサは、自動車用エンジン１におけるオープンデッキタイプの環状のウォータジャケット３に挿入される環状のウォータジャケットスペーサ４である。このウォータジャケットスペーサ４は、周方向の２箇所で分割される２個の分割体５，６からなり、この２個の分割体５，６は、正規の組み合せでは、ウォータジャケット３のデッキ３０側（図１の紙面手前側）から見た平面形状に沿った環状体とされ、且つ、ウォータジャケット３のデッキ３０側から当該ウォータジャケット３内の所定の位置に挿入可能とされると共に、誤った組み合わせでは、ウォータジャケット３にデッキ３０側から挿入しようとすると、分割体５，６の一部がデッキ３０より突出するよう構成されている。
【００２２】
図例のシリンダブロック２は、３気筒エンジンを構成し、３個のシリンダボア２０…を、軸Ｌが互いに平行で、且つ、平面視して直列的に配列するよう備え、この３個のシリンダボア２０…を取り囲むように環状のウォータジャケット３が一連的に形成されている。シリンダブロック２の上面（不図示のクランク室とは反対側面）には不図示のシリンダヘッドがボルト（不図示）によって締結一体とされる。２ａは、シリンダヘッドをシリンダブロック２に締結一体化するためのボルト用挿通孔である。ウォータジャケット３は、深さ方向底部の底壁（内壁の一部）３１、内側内壁（シリンダボア２０側の内壁）３２、外側内壁（シリンダボア２０とは反対側の内壁）３３からなり、シリンダブロック２の上面側に開口されている。この開口する側、即ち、シリンダヘッドが締結される側がデッキ３０とされる。ウォータジャケット３には、シリンダブロック２に設けられた冷却水導入口２ｂから冷却水が導入される。導入された冷却水は、ウォータジャケット３内を流通し、冷却水排出口２ｃから排出される。ウォータジャケット３内を冷却水が流通する間、ウォータジャケットスペーサ４によって流通容量及び流速の適性化がなされ、シリンダボア２０の壁部の冷却が適正になされる。
【００２３】
本発明のウォータジャケットスペーサの第一の実施形態について、図２〜図５をも参照して説明する。本実施形態のウォータジャケットスペーサ４を構成する分割体５，６は、いずれも平面視した（デッキ３０側から見た）周方向長さが、ウォータジャケットスペーサ４の平面視した全周長の１／２より大とされている。両分割体５，６は、正規の形状におけるウォータジャケットスペーサ４をシリンダボア２０の並列方向の両端部でカットしたような形状とされている。そして、両分割体５，６は、正規の組み合わせでは、両分割体５，６の周方向端部５０，６０が互いに所定の噛み合い態様で噛み合って前記全周長をなす環状体とされて前記ウォータジャケット３に挿入可能とされる。また、誤った組み合わせでは、前記全周長より大きくなってウォータジャケット３の径方向への食み出し部分が生じ、ウォータジャケット３への挿入が不可となるよう構成されている。本実施形態における所定の噛み合い態様は、周方向に沿った凹凸形状の噛み合いであって、この凹凸形状の噛み合いが、シリンダボア２０の軸Ｌ方向に重なり合う形状の噛み合いである。
【００２４】
図２に示す例では、両分割体５，６における周方向端部５０，６０の端縁部５０ａ，６０ａは、軸Ｌ方向に対して直状に傾斜した形状とされている。一方の分割体５の端縁部５０ａは、ウォータジャケットスペーサ４の深さ方向の底部側が対向する他方の端縁部６０ａ側に突出するように（凸状に）、深さ方向の開口部側が対向する他方の端縁部６０ａとは反対側に凹むように（凹状に）形成されている。また、他方の分割体６の端縁部６０ａは、前記深さ方向の開口部側が対向する一方の端縁部５０ａ側に突出するように（凸状に）、深さ方向の底部側が対向する一方の端縁部５０ａとは反対側に凹むように（凹状に）形成されている。そして、傾斜した端縁部５０ａ，６０ａの中間部における両分割体５，６の周方向長さは、ウォータジャケットスペーサ４の前記全周長の１／２に相当する。図１の１点鎖線Ａは、端縁部５０ａ，６０ａの中間部を結ぶ線であって、ウォータジャケットスペーサ４を前記全周長の１／２で分断したと想定した場合の分断線に相当する。このように構成される両分割体５，６において、図２（ａ）に示すように、両分割体５，６の正規の組み合わせ状態では、両分割体５，６における周方向端部５０，６０の端縁部５０ａ，６０ａが互いに凹凸形状の噛み合いによって整合し、シリンダボア２０の軸Ｌ方向に重なり合うよう噛み合う。これによって、両分割体５，６は、所定のウォータジャケットスペーサ４の形状をなし、一部が径方向に食み出すことなく、即ち、一部がデッキ３０（図１参照）より突出することなく、ウォータジャケット３内に挿入が可能とされる。
なお、図２において、ウォータジャケット３の外側内壁３３を２点鎖線で示し、内側内壁３２（図１参照）の図示を省略している。これは、以下の実施形態を示す図においても同様である。また、図２において２点鎖線で示す外側内壁３３は、ウォータジャケット３の開口部における当該外側内壁３３の周縁部の位置を概念的に示している。さらに、図２に示す軸Ｌは、図１に示すシリンダボア２０毎の３本の軸を便宜上１本の軸として表している。これらは、図３〜図５においても同様である。
【００２５】
図２（ｂ）（ｃ）は、両分割体５，６を誤って組み合わせた状態を示している。（ｂ）図は、一方の分割体５，５同士を組み合わせた状態を示している。この組み合わせ状態では、分割体５，５の周方向端部５０，５０が互いに突き合せられるが、その端縁部５０ａ，５０ａ同士は、前記のように軸Ｌ方向に重なり合うように噛み合わず、その平面形状はウォータジャケット３より大きくなる。したがって、分割体５，５の一部がウォータジャケット３の径方向に食み出し、即ち、デッキ３０より突出することになり、ウォータジャケット３内に挿入できず、誤った組み合わせ状態であることが即座にわかる。（ｃ）図は、他方の分割体６，６同士を組み合わせた状態を示している。この組み合わせ状態でも、端縁部６０ａ，６０ａ同士は、前記のように軸Ｌ方向に重なり合うように噛み合わず、その平面形状はウォータジャケット３より大きくなり、一部がウォータジャケット３の径方向に食み出し、即ち、デッキ３０より突出することになる。したがって、分割体６，６の一部がウォータジャケット３の径方向に食み出し、即ち、デッキ３０より突出することになり、ウォータジャケット３内に挿入できず、誤った組み合わせ状態であることが即座にわかる。図２（ｂ）（ｃ）の例では、誤った組み合わせの分割体５（６）の１つの分割体５（６）をウォータジャケット３に挿入できても、もう１つの分割体５（６）が挿入できない状態を示している。しかし、誤って組み合わせた状態（突合せた状態）でウォータジャケット３に挿入しようとすると、両者がともにウォータジャケット３に挿入し得ない状態となることは、図２（ｂ）（ｃ）から自明である。また、一方の分割体５の端縁部５０ａの形状と、他方の分割体６の端縁部６０ａの形状とが、逆の関係であっても同様であることも自明である。
このように、２個の分割体５，６が誤った組み合わせである場合には、その事実が、視覚的にも簡易にわかり、正規の組み合わせ状態でのウォータジャケット３への挿入が的確になし得、もって、自動車用エンジン１の組立工程の効率化を図ることができる。
【００２６】
図３は同実施形態の第１の変形例を模式的に示している。この例では、一方の分割体５における周方向端部５０の端縁部５０ｂは、周方向に沿って略三角形状に凹む谷形の形状（凹形状）とされ、他方の分割体６における周方向端部６０の端縁部６０ｂは、周方向に沿って略三角形状に突出する山形の形状（凸形状）とされている。そして、谷形形状の端縁部５０ｂの深さ方向中間部及び山形形状の端縁部６０ｂ高さ方向の中間部における両分割体５，６の周方向長さは、ウォータジャケットスペーサ４の前記全周長の１／２に相当する。このように構成される両分割体５，６において、図３（ａ）に示すように、両分割体５，６の正規の組み合わせ状態では、両分割体５，６における周方向端部５０，６０の端縁部５０ｂ，６０ｂが互いに凹凸形状の噛み合いによって整合し、シリンダボア２０の軸Ｌ方向に重なり合うよう噛み合う。これによって、両分割体５，６は、所定のウォータジャケットスペーサ４の形状をなし、一部が径方向に食み出すことなく、即ち、一部がデッキ３０（図１参照）より突出することなく、ウォータジャケット３内に挿入が可能とされる。
【００２７】
図３（ｂ）（ｃ）は、両分割体５，６を誤って組み合わせた状態を示している。（ｂ）図は、一方の分割体５，５同士を組み合わせた状態を示している。この組み合わせ状態では、分割体５，５の周方向端部５０，５０が互いに突き合せられるが、その端縁部５０ｂ，５０ｂ同士は、前記のように軸Ｌ方向に重なり合うように噛み合わず、その平面形状はウォータジャケット３より大きくなる。したがって、分割体５，５の一部がウォータジャケット３の径方向に食み出し、即ち、デッキ３０より突出することになり、ウォータジャケット３内に挿入できず、誤った組み合わせ状態であることが即座にわかる。（ｃ）図は、他方の分割体６，６同士を組み合わせた状態を示している。この組み合わせ状態でも、端縁部６０ｂ，６０ｂ同士は、前記のように軸Ｌ方向に重なり合うように噛み合わず、前記と同様にウォータジャケット３内に挿入できず、誤った組み合わせ状態であることが即座にわかる。
その他の構成は図２の例と同様であるので共通部分に同一の符号を付し、その説明を割愛する。
【００２８】
図４は、同実施形態の第２の変形例を模式的に示している。この例では、両分割体５，６の周方向端部５０，６０のそれぞれが、図２に示す例と同様の端縁部５０ａ，６０ａと、図３に示す例と同様の端縁部５０ｂ，６０ｂとを備えている。このように構成される両分割体５，６において、図４（ａ）に示すように、両分割体５，６の正規の組み合わせ状態では、両分割体５，６における周方向端部５０，６０の一方の端縁部５０ａ，６０ａ及び他方の端縁部５０ｂ，６０ｂが互いに凹凸形状の噛み合いによって整合し、シリンダボア２０の軸Ｌ方向に重なり合うよう噛み合う。これによって、両分割体５，６は、所定のウォータジャケットスペーサ４の形状をなし、一部が径方向に食み出すことなく、即ち、一部がデッキ３０（図１参照）より突出することなく、ウォータジャケット３内に挿入が可能とされる。
【００２９】
図４（ｂ）（ｃ）は、両分割体５，６を誤って組み合わせた状態を示している。（ｂ）図は、一方の分割体５，５同士を組み合わせた状態を示している。この組み合わせ状態では、分割体５，５の周方向端部５０，５０が互いに突き合せられるが、その端縁部５０ａ，５０ｂ同士は、前記のように軸Ｌ方向に重なり合うように噛み合わず、その平面形状はウォータジャケット３より大きくなる。したがって、分割体５，５の一部がウォータジャケット３の径方向に食み出し、即ち、デッキ３０より突出することになり、ウォータジャケット３内に挿入できず、誤った組み合わせ状態であることが即座にわかる。（ｃ）図は、他方の分割体６，６同士を組み合わせた状態を示している。この組み合わせ状態でも、端縁部６０ａ，６０ｂ同士は、前記のように軸Ｌ方向に重なり合うように噛み合わず、前記と同様にウォータジャケット３内に挿入できず、誤った組み合わせ状態であることが即座にわかる。
その他の構成は図２及び図３に示す例と同様であるので共通部分に同一の符号を付し、ここでもその説明を割愛する。
【００３０】
図５は、同実施形態の第３の変形例を模式的に示している。この例では、両分割体５，６の周方向端部５０，６０のそれぞれが、図２に示す例と同様の端縁部５０ａ，６０ａと、横向き台形状の端縁部５０ｃ，６０ｃとを備えている。台形状の端縁部５０ｃ，６０ｃは、互いに凹凸関係で整合し合う形状とされている。このように構成される両分割体５，６において、図５（ａ）に示すように、両分割体５，６の正規の組み合わせ状態では、両分割体５，６における周方向端部５０，６０の一方の端縁部５０ａ，６０ａ及び他方の端縁部５０ｃ，６０ｃが互いに凹凸形状の噛み合いによって整合し、シリンダボア２０の軸Ｌ方向に重なり合うよう噛み合う。これによって、両分割体５，６は、所定のウォータジャケットスペーサ４の形状をなし、一部が径方向に食み出すことなく、即ち、一部がデッキ３０（図１参照）より突出することなく、ウォータジャケット３内に挿入が可能とされる。
【００３１】
図５（ｂ）（ｃ）は、両分割体５，６を誤って組み合わせた状態を示している。（ｂ）図は、一方の分割体５，５同士を組み合わせた状態を示している。この組み合わせ状態では、分割体５，５の周方向端部５０，５０が互いに突き合せられるが、その端縁部５０ａ，５０ｃ同士は、前記のように軸Ｌ方向に重なり合うように噛み合わず、その平面形状はウォータジャケット３より大きくなる。したがって、分割体５，５の一部がウォータジャケット３の径方向に食み出し、即ち、デッキ３０より突出することになり、ウォータジャケット３内に挿入できず、誤った組み合わせ状態であることが即座にわかる。（ｃ）図は、他方の分割体６，６同士を組み合わせた状態を示している。この組み合わせ状態でも、端縁部６０ａ，６０ｃ同士は、前記のように軸Ｌ方向に重なり合うように噛み合わず、前記と同様にウォータジャケット３内に挿入できず、誤った組み合わせ状態であることが即座にわかる。
その他の構成は図２の例と同様であるので共通部分に同一の符号を付し、その説明を割愛する。
【００３２】
本発明のウォータジャケットスペーサの第二の実施形態について、図６及び図７をも参照して説明する。本実施形態では、ウォータジャケットスペーサ４を構成する分割体５，６は、いずれも平面視した（デッキ３０側から見た）周方向長さが、ウォータジャケットスペーサ４の平面視した全周長の１／２より大とされている。また、両分割体５，６は、正規の組み合わせでは、両分割体５，６の周方向端部５１，６１が互いに所定の噛み合い態様で噛み合って前記全周長をなす環状体とされて前記ウォータジャケット３に挿入可能とされる。さらに、誤った組み合わせでは、ウォータジャケット３の径方向への食み出し部分が生じ、ウォータジャケット３への挿入が不可となるよう構成されている。加えて、前記所定の噛み合い態様は、周方向に沿った凹凸形状の噛み合いである。これらの点で、前記第一の実施形態と共通する。しかし、この凹凸形状の噛み合いが、シリンダボア２０の径方向に重なり合う形状の噛み合いである点で第一の実施形態と異なる。
【００３３】
図６に示す例では、分割体５，６の周方向端部５１，６１がいずれも段差状に薄肉に形成されている。一方の分割体５の周方向端部５１は、外径側部分に段差部５１ａを有し、他方の分割体６の周方向端部６１は、内径側部分に段差部６１ａを有している。即ち、周方向端部５１，６１が周方向に突出する凸部とされ、段差部５１ａ，６１ａが周方向に凹む凹部とされ、これにより、周方向端部５１，６１と段差部５１ａ，６１ａとが径方向に重なり合うよう噛み合い、前記所定の噛み合い態様が確立される。図６（ａ）の１点鎖線Ａは、周方向端部５１，６１の中間部を結ぶ線であって、ウォータジャケットスペーサ４を前記全周長の１／２で分断したと想定した場合の分断線に相当する。このように構成される両分割体５，６において、図６（ａ）に示すように、両分割体５，６の正規の組み合わせ状態では、両分割体５，６における周方向端部５１，６１と、段差部６１ａ，５１ａとが互いに凹凸形状の噛み合いによって整合し、シリンダボア２０の径方向に重なり合うよう噛み合う。これによって、両分割体５，６は、所定のウォータジャケットスペーサ４の形状をなし、一部が径方向に食み出すことなく、即ち、一部がデッキ３０（図１参照）より突出することなく、ウォータジャケット３内に挿入が可能とされる。
【００３４】
図６（ｂ）（ｃ）は、両分割体５，６を誤って組み合わせた状態を示している。（ｂ）図は、一方の分割体５，５同士を組み合わせた状態を示している。この組み合わせ状態では、分割体５，５の周方向端部５１，５１が互いに突き合せられるが、前記のように径方向に重なり合う噛み合い構造が確立されず、その平面形状はウォータジャケット３より大きくなる。したがって、分割体５，５の一部がウォータジャケット３の径方向に食み出し、即ち、デッキ３０（図１参照）より突出することになり、ウォータジャケット３内に挿入できず、誤った組み合わせ状態であることが即座にわかる。（ｃ）図は、他方の分割体６，６同士を組み合わせた状態を示している。この組み合わせ状態でも、周方向端部６１，６１は、前記のように径方向に重なり合うように噛み合わず、前記と同様にウォータジャケット３内に挿入できず、誤った組み合わせ状態であることが即座にわかる。
その他の構成は、図２の例と同様であるので共通部分に同一の符号を付し、その説明を割愛する。
【００３５】
図７は第二の実施形態の変形例を模式的に示している。図７に示す例では、一方の分割体５の周方向端部５１が周方向に向く凹溝形状部５１ｂとされ、他方の分割体６の周方向端部６１が凹溝形状部５１ｂに嵌合し得る薄肉突状部６１ｂとされている。即ち、一方の分割体５の周方向端部５１の凹溝形状部５１ｂと、他方の分割体６の周方向端部６１の薄肉突状部６１ｂとの嵌合により、径方向に重なり合うよう噛み合う前記所定の噛み合い態様が確立される。図７（ａ）の１点鎖線Ａは、周方向端部５１，６１の周方向中間部を結ぶ線であって、ウォータジャケットスペーサ４を前記全周長の１／２で分断したと想定した場合の分断線に相当する。このように構成される両分割体５，６においては、図７（ａ）に示すように、両分割体５，６の正規の組み合わせ状態で、両分割体５，６の周方向端部５１，６１が、凹溝形状部５１ｂと薄肉突状部６１ｂとの嵌合によって、シリンダボア２０の径方向に重なり合うよう噛み合う。これによって、両分割体５，６は、所定のウォータジャケットスペーサ４の形状をなし、一部が径方向に食み出すことなく、即ち、一部がデッキ３０（図１参照）より突出することなく、ウォータジャケット３内に挿入が可能とされる。
【００３６】
図７（ｂ）（ｃ）は、両分割体５，６を誤って組み合わせた状態を示している。（ｂ）図は、一方の分割体５，５同士を組み合わせた状態を示している。この組み合わせ状態では、分割体５，５の周方向端部５１，５１が互いに突き合せられるが、前記のように径方向に重なり合う噛み合い構造が確立されず、その平面形状はウォータジャケット３より大きくなる。したがって、分割体５，５の一部がウォータジャケット３の径方向に食み出し、即ち、デッキ３０より突出することになり、ウォータジャケット３内に挿入できず、誤った組み合わせ状態であることが即座にわかる。（ｃ）図は、他方の分割体６，６同士を組み合わせた状態を示している。この組み合わせ状態でも、周方向端部６１，６１は、前記のように径方向に重なり合うように噛み合わず、前記と同様にウォータジャケット３内に挿入できず、誤った組み合わせ状態であることが即座にわかる。
その他の構成は、図６に示す例と同様であるので、共通部分に同一の符号を付し、その説明を割愛する。
【００３７】
本発明のウォータジャケットスペーサの第三の実施形態について、図８をも参照して説明する。この実施形態においては、一方の分割体５は、その周方向長さがウォータジャケットスペーサ４の全周長の１／２より大とされる。他方の分割体６は、ウォータジャケット３の外側内壁３３に形成された異形部（凹部）３４に整合する誤挿入防止形状部(凸部)６ａを備える。そして、他方の分割体６は、一方の分割体５との正規の組み合わせでは、誤挿入防止形状部６ａが異形部３４に整合するようウォータジャケット３に挿入されると共に、一方の分割体５がウォータジャケット３の残余のスペースに挿入されて、両分割体５，６が前記全周長をなす環状体とされるよう構成される。このように構成される両分割体５，６において、図８（ａ）に示すように、両分割体５，６の正規の組み合わせ状態では、両分割体５，６における周方向端部５２，６２が互いに突き合わされる。これによって、両分割体５，６は、所定のウォータジャケットスペーサ４の形状をなす。両分割体５，６は、この突合せ状態で、或は、個別にウォータジャケット３に挿入される。この時、誤挿入防止形状部６ａが異形部３４に整合するようウォータジャケット３に挿入され、一部が径方向に食み出すことなく、即ち、一部がデッキ３０（図１参照）より突出することなく、ウォータジャケット３内に挿入が可能とされる。
【００３８】
図８（ｂ）（ｃ）は、両分割体５，６を誤って組み合わせた状態を示している。（ｂ）図は、一方の分割体５，５同士を組み合わせた状態を示している。この組み合わせ状態では、分割体５，５の周方向端部５２，５２が互いに突き合せられるが、分割体５の周方向長さが、ウォータジャケットスペーサ４の全周長の１／２より大とされているから、突合せられた状態の平面形状はウォータジャケット３より大きくなる。したがって、分割体５，５の一部がウォータジャケット３の径方向に食み出し、即ち、デッキ３０より突出することになり、ウォータジャケット３内に挿入できず、誤った組み合わせ状態であることが即座にわかる。（ｃ）図は、他方の分割体６，６同士を組み合わせた状態を示している。この組み合わせ状態では、そのうち１つの分割体６を誤挿入防止形状部６ａがウォータジャケット３の異形部３４に整合するようウォータジャケット３内に挿入できても、もう１つの分割体６は、誤挿入防止形状部６ａがウォータジャケット３の径方向に食み出すことになる。したがって、もうひとつの分割体６がウォータジャケット３内に挿入できず、誤った組み合わせ状態であることが即座にわかる。
【００３９】
なお、図８では、異形部３４がウォータジャケット３の外側内壁３３に形成された凹部であり、誤挿入防止形状部６ａが分割体６の外周に径方向に突出するよう形成された凸部であるが、異形部３４及び誤挿入防止形状部６ａの凹凸関係が逆であっても良い。また、ウォータジャケット３の内側内壁３２（図１参照）と分割体６の内周との間に、同様の整合関係をなす異形部及び誤挿入防止形状部を形成しても良い。さらに、両分割体５，６の周方向端部５２，６２に、図２〜図７に示すような噛み合い形状部を形成しても良い。その他の構成は、図２の例と同様であるので共通部分に同一の符号を付し、その説明を割愛する。
【００４０】
本発明のウォータジャケットスペーサの第四の実施形態について、図９をも参照して説明する。本実施形態では、両分割体５，６は、ともにウォータジャケット３の外側内壁３３に形成された互いに異なる異形部（凹部）３５，３４にそれぞれ整合する誤挿入防止形状部（凸部）５ａ，６ａを備える。両分割体５，６の正規の組み合わせでは異形部３５，３４のそれぞれに誤挿入防止形状部５ａ，６ａが整合して、両分割体５，６が前記全周長をなす環状体とされるよう構成される。このように構成される両分割体５，６において、図９（ａ）に示すように、両分割体５，６の正規の組み合わせ状態では、両分割体５，６における周方向端部５２，６２が互いに突き合わされる。これによって、両分割体５，６は、所定のウォータジャケットスペーサ４の形状をなす。両分割体５，６は、この突合せ状態で、或は、個別にウォータジャケット３に挿入される。この時、誤挿入防止形状部５ａ，６ａが異形部３５，３４にそれぞれ整合するようウォータジャケット３に挿入され、一部が径方向に食み出すことなく、即ち、一部がデッキ３０（図１参照）より突出することなく、ウォータジャケット３内に挿入が可能とされる。
【００４１】
図９（ｂ）（ｃ）は、両分割体５，６を誤って組み合わせた状態を示している。（ｂ）図は、一方の分割体５，５同士を組み合わせた状態を示している。この組み合わせ状態では、分割体５，５の周方向端部５２，５２が互いに突き合せられるが、分割体５，５の１つの分割体５を、誤挿入防止形状部５ａを異形部３５に整合させることによって、ウォータジャケット３内に挿入することができる。しかし、もう１つの分割体５の誤挿入防止形状部５ａはウォータジャケット３の異形部３４に整合せず、ウォータジャケット３の径方向への食み出し部分が生じる。当該もう１つの分割体５はデッキ３０より突出して、ウォータジャケット３内に挿入できず、誤った組み合わせ状態であることが即座にわかる。また、（ｃ）図は、他方の分割体６，６同士を組み合わせた状態を示している。この組み合わせ状態では、そのうち１つの分割体６を誤挿入防止形状部６ａがウォータジャケット３の異形部３４に整合するようウォータジャケット３内に挿入できても、もう１つの分割体６は、誤挿入防止形状部６ａが異形部３５に整合せず、ウォータジャケット３の径方向に食み出すことになる。したがって、もう１つの分割体６はウォータジャケット３内に挿入できず、デッキ３０より突出して、誤った組み合わせ状態であることが即座にわかる。
【００４２】
なお、本実施形態において、異形部３５，３４が互いに異なるとは、図例のように形状や大きさが互いに異なる場合の他、ウォータジャケット３の線対称位置に設けられていない場合も含まれる。そして、図９では、異形部３５，３４がウォータジャケット３の外側内壁３３に形成された凹部であり、誤挿入防止形状部５ａ，６ａが分割体５、６の外周に径方向に突出するよう形成された凸部であるが、異形部３５，３４及び誤挿入防止形状部５ａ，６ａの凹凸関係が逆であっても良い。また、ウォータジャケット３の内側内壁３２（図１参照）と分割体５、６の内周との間に、同様の整合関係をなす異形部及び誤挿入防止形状部を形成しても良い。さらに、両分割体５，６の周方向端部５２，６２に、図２〜図７に示すような噛み合い形状部を形成しても良い。その他の構成は、図８の例と同様であるので共通部分に同一の符号を付し、その説明を割愛する。
【００４３】
本発明のウォータジャケットスペーサの第五の実施形態について、図１０をも参照して説明する。図１０では、ウォータジャケット３の内壁の一部としての底壁３１及びデッキ３０が２点鎖線で示されている。本実施形態では、両分割体５，６のそれぞれが、上辺部に突起部５ｂ，６ｂを備えている。そして、両分割体５，６の周方向両端部５０，６０は、周方向に沿った凹凸形状の噛み合い態様であって、軸Ｌ（図１、図２等参照）方向に重なり合う噛み合う凹形状（谷形状）の端縁部５０ｄ及び凸形状（山形状）の端縁部６０ｄを、それぞれ備えている。この凹凸形状の端縁部５０ｄ，６０ｄの所期の噛み合い態様による分割体５，６の正規の組み合わせでは、分割体５，６が所定のウォータジャケットスペーサ４の形状をなすよう構成される。また、分割体５，６が誤った組み合わせでウォータジャケット３に挿入された時には、突起部５ｂ，６ｂのいずれかが、ウォータジャケット３のデッキ３０から突出するように構成される。このように構成される両分割体５，６において、図１０（ａ）に示すように、両分割体５，６の正規の組み合わせ状態では、両分割体５，６の周方向両端部５０，６０が突き合せられ、凹凸形状の端縁部５０ｄ，６０ｄが所期の噛み合い状態とされる。これによって、分割体５，６が所定のウォータジャケットスペーサ４の形状をなし、ウォータジャケット３内に、いずれの突起部５ｂ，６ｂもデッキ３０より突出することなく挿入が可能とされる。
【００４４】
図１０（ｂ）（ｃ）（ｄ）は、両分割体５，６を誤って組み合わせた状態を示している。（ｂ）（ｃ）図は、一方の分割体５，５同士を組み合わせた状態を示している。（ｂ）図は、分割体５，５のうちの１つの分割体５は、その周方向端部５０がもう１つの分割体５の周方向端部５０の上に乗るように組み合わせられた状態を示す。この分割体５，５の組み合わせ状態では、その全周長は正規の組み合わせにおける全周長と同じで、両分割体５，５がともにウォータジャケット３内に挿入可能とされるが、１つの分割体５の突起５ｂがデッキ３０より突出することになり、したがって、誤った組み合わせ状態であることが即座にわかる。また、（ｃ）図は、分割体５，５のうちの１つの分割体５は、その周方向端部５０における凹形状の端縁部５０ｄの一部がもう１つの分割体５における周方向端部５０の凹形状の端縁部５０ｄの一部に噛み合って組み合わさった状態となっていることを示す。この分割体５，５の組み合わせ状態でも、その全周長は正規の組み合わせにおける全周長と同じで、２つの分割体５，５がともにウォータジャケット３内に挿入可能とされるが、１つの分割体５の突起５ｂが、（ｂ）図の場合より突出量は少ないものの、やはりデッキ３０より突出することになる。したがって、この場合も誤った組み合わせ状態であることが即座にわかる。さらに、（ｄ）図は、他方の分割体６，６同士を組み合わせた状態を示している。（ｄ）図においては、分割体６，６のうちの１つの分割体６は、その周方向端部６０の端縁部６０ｄがもう１つの分割体６の周方向端部６０の端縁部６０ｄの上に乗るように組み合わせられた状態とされる。この分割体６，６の組み合わせ状態では、その全周長は正規の組み合わせにおける全周長と同じで、２つの分割体６，６がともにウォータジャケット３内に挿入可能とされるが、１つの分割体６の突起６ｂがデッキ３０より突出することになり、したがって、誤った組み合わせ状態であることが即座にわかる。
【００４５】
本発明のウォータジャケットスペーサの第六の実施形態について、図１１及び図１２をも参照して説明する。図１１及び図１２では、図１０と同様にウォータジャケット３の内壁の一部としての底壁３１及びデッキ３０が２点鎖線で示されている。本実施形態では、両分割体５，６のそれぞれが、上辺部に突起部５ｂ，６ｂを、下辺部に各２個の脚部５ｃ，６ｃをそれぞれ備えている。一方の分割体５における２個の脚部５ｃは、ウォータジャケット３の底壁（内壁）３１に形成された凹部からなる２個の異形部３６にそれぞれ整合する誤挿入防止形状部とされる。そして、両分割体５，６の周方向端部５０，６０は、周方向に沿った凹凸形状の噛み合い態様であって、軸Ｌ（図１、図２等参照）方向に重なり合う噛み合う凸形状の端縁部５０ｅ及び凹形状の端縁部６０ｅを、それぞれ備えている。この凹凸形状の端縁部５０ｅ，６０ｅの所期の噛み合い態様による分割体５，６の正規の組み合わせでは、分割体５，６が所定のウォータジャケットスペーサ４の形状をなすよう構成される。また、分割体５，６が誤った組み合わせでウォータジャケット３に挿入された時には、突起部５ｂ，６ｂのいずれかが、ウォータジャケット３のデッキ３０から突出するように構成される。
【００４６】
前記のように構成される両分割体５，６において、図１１（ａ）に示すように、両分割体５，６の正規の組み合わせ状態では、両分割体５，６の周方向両端部５０，６０が突き合せられ、凹凸形状の端縁部５０ｅ，６０ｅが所期の噛み合い状態とされる。また、誤挿入防止形状部としての脚部５ｃが、ウォータジャケット３の底壁３１に形成された異形部３６に整合するよう着座される。これによって、分割体５，６が所定のウォータジャケットスペーサ４の形状をなし、ウォータジャケット３内に、いずれの突起部５ｂ，６ｂもデッキ３０より突出することなく挿入が可能とされる。
【００４７】
図１１（ｂ）（ｃ）は、両分割体５，６を誤って組み合わせた状態であって、一方の分割体５，５同士を組み合わせた状態を示している。（ｂ）図においては、分割体５，５のうち１つの（図の左側）の分割体５は、２個の脚部５ｃがウォータジャケット３の底壁３１に形成された２個の異形部３６にそれぞれ整合するよう着座され、ウォータジャケット３の正規の位置に挿入されている。しかし、もう１つの（図の右側）の分割体５は、左側の分割体５に対して一部が乗るように端縁部５０ｅ，５０ｅ同士が噛み合っているが、２個の脚部５ｃが２個の異形部３６が存在しない底部３１に着座しているために、当該右側の分割体５の突起部５ｂがデッキ３０より突出している。これによって、誤った組み合わせであることが即座にわかる。また、（ｃ）図においては、分割体５，５のうち右側の分割体５は、２個の脚部５ｃが底部３１に着座し、且つ、左側の分割体５は、右側の分割体５に対して一部が乗るように端縁部５０ｅ，５０ｅ同士が噛み合っている。そのため、左側の分割体５は２個の脚部５ｃがいずれも２個の異形部３６に着座せずに浮いた状態となり、左右の分割体５，５の突起部５ｂが、ともにデッキ３０から突出している。これによって、誤った組み合わせであることが即座にわかる。
【００４８】
図１２（ａ）〜（ｄ）は、両分割体５，６を誤って組み合わせた状態であって、他方の分割体６，６同士を組み合わせた状態を示している。（ａ）図においては、分割体６，６のうち１つの（図の左側）の分割体６は、もう１つの分割体（図の右側）６に対して、端縁部６０ｅ，６０ｅ同士が噛み合うことなく乗った状態で組み合わされている。右側の分割体６は、その２個の脚部６ｃが２個の異形部３６が存在しない底部３１に着座し、ウォータジャケット３の正規の位置に挿入されているが、左側の分割体６は浮いた状態とされ、突起部６ｂがデッキ３０より突出している。これによって、誤った組み合わせであることが即座にわかる。また、（ｂ）図においては、分割体６，６のうち左側の分割体６は、２個の脚部６ｃが２個の異形部３６に整合することなく底部３１に着座し、且つ、右側の分割体６は、左側の分割体６に対して、端縁部６０ｅ，６０ｅ同士が噛み合うことなく乗った状態で組み合わされている。そのため、右側の分割体６は２個の脚部６ｃがいずれも底部３１に着座せずに浮いた状態となり、右側の分割体６の突起部６ｂがデッキ３０から突出している。これによって、誤った組み合わせであることが即座にわかる。さらに、（ｃ）図においては、右側の分割体６は、（ａ）図の場合と同様にウォータジャケット３の正規の位置に挿入されているが、左側の分割体６は、右側の分割体６に対して、端縁部６０ｅ，６０ｅ同士が一部噛み合って、浮いた状態とされている。そのため、左側の分割体６の突起部６ｂがデッキ３０より突出し、これによって、誤った組み合わせであることが即座にわかる。さらにまた、（ｄ）図においては、左側の分割体６は、（ｂ）図の場合と同様に突起部６ｂがデッキ３０より突出することなくウォータジャケット３に挿入されているが、右側の分割体６は、左側の分割体６に対して、端縁部６０ｅ，６０ｅ同士が一部噛み合って、浮いた状態とされている。そのため、右側の分割体６の突起部６ｂがデッキ３０より突出し、これによって、誤った組み合わせであることが即座にわかる。
【００４９】
図１１及び図１２に示す例は、ウォータジャケット３の底壁３１の形状との関係において、分割体５，６の誤った組み合わせを防止するための構造を提案するものである。しかし、ウォータジャケット３の仕様等に応じて、底壁３１、内側内壁３２或は外側内壁３３に種々の形状が採用されることがある。このような場合でも、底壁３１、内側内壁３２或は外側内壁３３の形状との関係において分割体５，６の形状を工夫し、分割体５，６の誤った組み合わせが即座にわかるような構成にすることは可能である。
【００５０】
図１３（ａ）は本発明に係るウォータジャケットスペーサの梱包時の荷姿の一例を示す模式的平面図であり、（ｂ）は参考例の同荷姿を示す同様図である。前記各実施形態で記載したとおり、本発明に係るウォータジャケットスペーサ４は、２個の分割体５，６からなる。例えば、分割体によらない４個の環状のウォータジャケットスペーサ４０を梱包する際の荷姿は、（ｂ）図に示す参考例のように嵩高くなる。これに対して、同仕様の２個の分割体５，６からなる４セットのウォータジャケットスペーサ４を梱包する際の荷姿は（ａ）に示すように非常に嵩低くなる。このように、本発明に係るウォータジャケットスペーサは、梱包がコンパクトになされ、輸送や保管に有益であることが理解される。
なお、図１３に示す荷姿は、一例を示すものであり、ウォータジャケットスペーサの仕様、形状、及び個数（セット数）等によって異なることは言うまでもない。
【００５１】
なお、本発明のウォータジャケットスペーサが適用される内燃機関として３気筒の自動車用のエンジン１を例に採ったが、他の気筒数の自動車用のエンジン、或いは、自動車用以外の内燃機関にも適用されることは言うまでもない。また、シリンダブロック２における冷却水導入口２ｂ、冷却水排出口２ｃの設置位置は、図１の例に限定されず、ウォータジャケット３の周方向のいずれの位置であっても良い。シリンダブロック２のウォータジャケット３のデッキ３０において、シリンダヘッドのウォータジャケット（不図示）に直接連通するよう構成される場合は、冷却水排出口２ｃが設けられないこともある。さらに、実施形態では、分割体５，６の仮想の分割位置をウォータジャケットスペーサ４の長手方向（シリンダボア２０の配列方向）の両端部としているが、これに限定されるものではない。２個の分割体５，６を正規の組み合わせとした時に、ウォータジャケット３の形状に整合する環状体となる形状であれば、分割位置をウォータジャケットスペーサ４の周方向のどの部位に設けても良い。そして、分割体５，６の周方向端部を突き合せてウォータジャケットスペーサ４を構成する際に、所期のウォータジャケットスペーサ４を精度良く構成するために、分断部の端面は、当該分断部に対応するシリンダボア２０の軸Ｌに向いていることが望ましい。
【符号の説明】
【００５２】
１                                自動車用エンジン（内燃機関）
２０                              シリンダボア
３                                ウォータジャケット
３０                              デッキ
３３                              外側内壁（内壁）
３４，３５，３６                  異形部
４                                ウォータジャケットスペーサ
５                                一方の分割体
６                                他方の分割体
５０，６０                        周方向端部
５１，６１                        周方向端部
５２，６２                        周方向端部
５ａ，６ａ                        誤挿入防止形状部
５ｃ                              脚部（誤挿入防止形状部）
Ｌ                                シリンダボアの軸
【図１】
0006383580.tif 000002
【図２】
0006383580.tif 000003
【図３】
0006383580.tif 000004
【図４】
0006383580.tif 000005
【図５】
0006383580.tif 000006
【図６】
0006383580.tif 000007
【図７】
0006383580.tif 000008
【図８】
0006383580.tif 000009
【図９】
0006383580.tif 000010
【図１０】
0006383580.tif 000011
【図１１】
0006383580.tif 000012
【図１２】
0006383580.tif 000013
【図１３】
0006383580.tif 000014